(57)【要約】【課題】どのようなプロバイダであっても専用のアダプタを使用することなく、直接ＩＰ回線に接続して、通話や、ファクシミリ等の通信を行える汎用のＩＰ通信装置を実現することを目的とする。【解決手段】ＩＰ回線を介して通信を行うＩＰ通信装置１であって、ＩＰ回線と接続するＩＰ網インターフェース９と、複数のプロバイダに対応した接続のための設定情報を記憶する設定情報記憶部５と、設定情報を選択するスイッチ７と、前記スイッチ７により選択された設定情報を前記設定情報記憶部５から読み出し、通信のための初期設定を行う設定情報管理部６とを有する。【選択図】図２
2005269030.tif 000002
【特許請求の範囲】
【請求項１】
ＩＰ回線を介して通信を行うＩＰ通信装置であって、ＩＰ回線と接続するＩＰ回線インターフェースと、複数のプロバイダに対応した接続のための設定情報を記憶する設定情報記憶部と、設定情報を選択する設定情報選択部と、前記設定情報選択部により選択された設定情報を前記設定情報記憶部から読み出し、通信のための初期設定を行う設定情報管理部とを有することを特徴とするＩＰ通信装置。
【請求項２】
ＩＰ回線を介して通信を行うＩＰ通信装置であって、ＩＰ回線と接続するＩＰ回線インターフェースと、複数のプロバイダに対応した接続のための設定情報を記憶する設定情報記憶部と、ＩＰ回線の接続先のプロバイダを認識するプロバイダ認識部と、前記プロバイダ認識部により認識されたプロバイダに対応する設定情報を前記設定情報記憶部から読み出し、通信のための初期設定を行う設定情報管理部とを有することを特徴とするＩＰ通信装置。
【請求項３】
更にプロバイダに対応する設定情報をＩＰ回線よりダウンロードするダウンロード部を有し、前記ダウンロード部よりダウンロードした設定情報を前記設定情報記憶部に記憶させることを特徴とする請求項１または２のいずれかに記載のＩＰ通信装置。
【請求項４】
更に入力部を有し、前記入力部より入力した設定情報を前記設定情報記憶部に記憶させることを特徴とする請求項１または２のいずれかに記載のＩＰ通信装置。
【請求項５】
インターネット電話装置であることを特徴とする請求項１または２のいずれかに記載のＩＰ通信装置。
【請求項６】
ＴＶ電話装置であることを特徴とする請求項１または２のいずれかに記載のＩＰ通信装置。
【請求項７】
ファクシミリ装置であることを特徴とする請求項１または２のいずれかに記載のＩＰ通信装置。
【発明の詳細な説明】
【技術分野】
【０００１】
本発明は、ＩＰ回線を利用して通話やファクシミリなどの通信を行うＩＰ通信装置に関するものである。
【背景技術】
【０００２】
近年、ＡＤＳＬ、光ファイバー等ブロードバンド回線が普及してきており、これらブロードバンドのＩＰ回線をインターネットのウエブ閲覧や電子メールの送受信のみならず、電話や、ファクシミリ、ＴＶ電話に利用しようという傾向がある。
【０００３】
例えば、ＡＤＳＬ回線を利用してブロードバンド回線を提供するインターネットプロバイダは、ＡＤＳＬアダプタを多機能化させ、このＡＤＳＬアダプタに一般の電話機を接続させることにより、ＩＰ回線を介した音声通話を実現するサービスを行っている。
【０００４】
これらのサービスは、一般的にブロードバンド電話、インターネット電話等と呼称される。
【０００５】
しかしながら、これらインターネット電話のサービスは、そのサービスを行うプロバイダに特化した専用のＡＤＳＬアダプタに電話機を接続することによってのみ実現可能である（例えば、特許文献１参照。）。
【０００６】
この理由は、専用のＡＤＳＬアダプタに既にネットワーク接続等に関する設定を行っているからである。
【０００７】
上記したような状況において、どのようなプロバイダであっても、専用のアダプタを使用することなく、ＩＰ回線に接続して、通話や、ファクシミリ等の通信を行える汎用のＩＰ通信装置は存在しなかった。
【特許文献１】特開２００３−２９８７３８号公報
【発明の開示】
【発明が解決しようとする課題】
【０００８】
本発明は、上記した課題に鑑み、どのようなプロバイダであっても専用のアダプタを使用することなく、直接ＩＰ回線に接続して、通話や、ファクシミリ等の通信を行える汎用のＩＰ通信装置を実現することを目的とする。
【課題を解決するための手段】
【０００９】
上記課題を解決するため、本発明は、ＩＰ回線を介して通信を行うＩＰ通信装置であって、ＩＰ回線と接続するＩＰ網インターフェースと、複数のプロバイダに対応した接続のための設定情報を記憶する設定情報記憶部と、設定情報を選択する設定情報選択部と、前記設定情報選択部により選択された設定情報を前記設定情報記憶部から読み出し、通信のための初期設定を行う設定情報管理部とを有することを特徴とするように構成した。
【発明の効果】
【００１０】
本発明は、上記した構成を有するので、各々のプロバイダやキャリアに対応した初期設定情報を選択し、設定することができるので、どのようなキャリア、プロバイダに対応する回線に接続しても、簡単・容易に初期設定を完了することが可能となるという効果を有する。
【発明を実施するための最良の形態】
【００１１】
本願の第１の発明は、ＩＰ回線を介して通信を行うＩＰ通信装置であって、ＩＰ回線と接続するＩＰ網インターフェースと、複数のプロバイダに対応した接続のための設定情報を記憶する設定情報記憶部と、設定情報を選択する設定情報選択部と、設定情報選択部により選択された設定情報を設定情報記憶部から読み出し、通信のための初期設定を行う設定情報管理部とを有することを特徴とするものであり、上記した構成により、各々のプロバイダやキャリアに対応した初期設定情報を選択し、設定することができるので、どのようなキャリア、プロバイダに対応する回線に接続しても、簡単・容易に初期設定を完了することが可能となる。
【００１２】
本願の第２の発明は、ＩＰ回線を介して通信を行うＩＰ通信装置であって、ＩＰ回線と接続するＩＰ網インターフェースと、複数のプロバイダに対応した接続のための設定情報を記憶する設定情報記憶部と、ＩＰ回線の接続先のプロバイダを認識するプロバイダ認識部と、プロバイダ認識部により認識されたプロバイダに対応する設定情報を設定情報記憶部から読み出し、通信のための初期設定を行う設定情報管理部とを有することを特徴とするものであり、上記した構成により、各々のプロバイダやキャリアに対応した初期設定情報を認識し、設定することができるので、どのようなキャリア、プロバイダに対応する回線に接続しても、簡単・容易に初期設定を完了することが可能となる。
【００１３】
本願の第３の発明は、更にプロバイダに対応する設定情報をＩＰ回線よりダウンロードするダウンロード部を有し、ダウンロード部よりダウンロードした設定情報を設定情報記憶部に記憶させることを特徴とする請求項１または２のいずれかに記載のＩＰ通信装置であり、既に記憶されている設定情報の中に必要な設定情報が無い場合であっても、新たに設定情報を入手することが可能となる。
【００１４】
本願の第４の発明は、更に入力部を有し、入力部より入力した設定情報を設定情報記憶部に記憶させることを特徴とする請求項１または２のいずれかに記載のＩＰ通信装置であり、プロバイダやキャリアの設定情報中で、ＩＤやパスワードなど、ユーザーが入力する必要がある項目が含まれる場合でも、入力することが可能となる。
【００１５】
本願の第５の発明は、インターネット電話装置であることを特徴とする請求項１または２のいずれかに記載のＩＰ通信装置であり、各々のプロバイダやキャリアに対応した初期設定情報を選択し、設定することができるので、どのようなキャリア、プロバイダに対応する回線に接続しても、簡単・容易に初期設定を完了することが可能となる。
【００１６】
本願の第６の発明は、ＴＶ電話装置であることを特徴とする請求項１または２のいずれかに記載のＩＰ通信装置であり、各々のプロバイダやキャリアに対応した初期設定情報を選択し、設定することができるので、どのようなキャリア、プロバイダに対応する回線に接続しても、簡単・容易に初期設定を完了することが可能となる。
【００１７】
本願の第７の発明は、ファクシミリ装置であることを特徴とする請求項１または２のいずれかに記載のＩＰ通信装置であり、各々のプロバイダやキャリアに対応した初期設定情報を選択し、設定することができるので、どのようなキャリア、プロバイダに対応する回線に接続しても、簡単・容易に初期設定を完了することが可能となる。
【００１８】
以下、本発明の実施の形態について、各図に基づいて説明する。
【００１９】
（実施の形態１）
図１は、本発明の実施の形態１におけるＩＰ通信装置の外観図である。
【００２０】
図１において、１は、ＩＰ通信装置である。ＩＰ通信装置としては、インターネット電話装置、ファクシミリ、ＴＶ電話装置など、インターネット網を利用して通信を行う端末であれば、本発明の内容を利用可能である。
【００２１】
２は、表示部であり、入力部３で入力した入力情報を表示したり、発信先の発呼者情報等を表示する。
【００２２】
３は、入力部であり、テンキーにより英数字等を入力可能に構成されている。
【００２３】
４は、送受話インターフェースであり、インターネット電話等で通話を行う際のインターフェースとして用いられる。
【００２４】
７は、スイッチであり、プロバイダやキャリアに対応して選択を行うものである。
【００２５】
８は、電話回線インターフェースであり、電話回線と接続される。
【００２６】
９は、ＩＰ網インターフェースであり、ＡＤＳＬや、イーサネット（登録商標）等ＩＰ回線と接続される。
【００２７】
図２は、本発明の実施の形態１におけるＩＰ通信装置のブロック図である。
【００２８】
図２において、１は、ＩＰ通信装置である。２は、表示部であり、入力部３で入力した入力情報を表示したり、発信先の発呼者情報等を表示する。
【００２９】
３は、入力部であり、テンキーにより英数字等を入力可能に構成されている。入力部３は、ＩＰ通信装置本体に設置されるテンキーでも良いし、本体とは別に外付けされるキーボードであっても良い。
【００３０】
４は、送受話インターフェースであり、インターネット電話等で通話を行う際のインターフェースとして用いられる。
【００３１】
５は、設定情報記憶部であり、後述するように、複数のプロバイダやキャリアに対応する設定情報をテーブルとして記憶している。
【００３２】
６は、設定情報管理部であり、設定情報記憶部５に記憶された設定情報のうちいずれか適切な設定情報を利用して、ＩＰ通信装置１の通信のための初期設定を行う。
【００３３】
７は、スイッチであり、プロバイダやキャリアに対応して選択を行うものである。
【００３４】
８は、電話回線インターフェースであり、電話回線と接続される。
【００３５】
９は、ＩＰ網インターフェースであり、ＡＤＳＬや、イーサネット（登録商標）等ＩＰ回線と接続される。１０は、主制御部であり、上述した各機能部を統括的に制御する。
【００３６】
図３は、本発明の実施の形態１におけるＩＰ通信装置のシステム図である。
【００３７】
図３において、１はＩＰ通信装置、１３はＩＰ通信装置１が接続されている市内電話網、１４は、電話網に接続されているインターネット接続用のゲートウェイ、１５はインターネット網、１６はインターネット接続用のゲートウェイ、１７は、インターネット接続用のゲートウェイが接続されている市内電話網である。
【００３８】
このようなシステムにおいて、通信を行う場合には、ＩＰ通信装置１はまず、インターネット接続用のゲートウェイ１４に市内電話網１３を介して接続して所定の手続をした上で認証を受けて接続を行い、インターネット網１５に接続することが可能となる。
【００３９】
特に、初めて通信を行うにあたっては、ＩＰ通信装置１はインターネット接続用のゲートウェイ１４との接続手順を細かく設定する必要がある。
【００４０】
接続手順としては、ＤＨＣＰをＯＮにするかどうか、ＩＰアドレスの指定、サブネットマスク、デフォルトゲートウェイの情報の他、このインターネット接続用のゲートウェイ１４を運用するキャリア、プロバイダによっては、ユーザーの使用するＩＤ、暗証番号なども予め設定情報として必要とする場合がある。
【００４１】
図４は、本発明の実施の形態１におけるＩＰ通信装置の設定情報テーブル図である。
【００４２】
図４に記載されたテーブルは、ＩＰ通信装置１の設定情報記憶部５に記憶される内容である。
【００４３】
図４において、キャリア／プロバイダ毎に、初期設定で必要とする設定情報がテーブルとなっている。設定情報として、ＤＨＣＰのＯＮ／ＯＦＦ、ＩＰアドレス、サブネットマスク、デフォルトゲートウェイの情報を備え、更に、付加的に必要となる情報として、ユーザー設定領域を有する。
【００４４】
ユーザー設定領域以外の設定情報は、予め、ＩＰ通信装置の設定情報記憶部５が記憶しているものである。
【００４５】
それに対してユーザー設定領域には、ＩＤや、暗証番号等、ユーザーが入力せざるを得ない情報が、入力部３により入力されることにより、記憶されるようになっている。
【００４６】
図５は、本発明の実施の形態１におけるＩＰ通信装置のフローチャートである。
【００４７】
図５において、ＩＰ通信装置１がどのように初期設定を行うかの動作説明を行う。
【００４８】
まず、ＩＰ通信装置のＩＰ網インターフェース９に、回線が接続されているかどうかの確認を行う（Ｓ１）。ここで、回線が接続されていない場合は、初期設定動作を終了する（Ｓ２）。回線が接続されていると確認された場合、スイッチ選択により、キャリア／プロバイダの選択を行う（Ｓ３）。ここでは、ユーザーにより、ユーザーが利用するプロバイダ／キャリアに対応するスイッチが選択される。選択されたキャリア／プロバイダによって、ユーザー設定領域が必要な場合がある。このため、選択されたキャリア／プロバイダがユーザー設定領域を必要とするかの判別を行う（Ｓ４）。必要としない場合は、そのまま（Ｓ７）へ移行する。必要とする場合、ユーザー設定領域の設定をＩＰ通信装置１が表示部２で入力を促し、ユーザーはそれに応じてユーザー設定領域である、ＩＤや暗証番号等の入力を行う（Ｓ５）。この入力情報は、設定情報記憶部５のユーザー設定領域に記憶される（Ｓ６）。
【００４９】
ＩＰ通信装置１は、選択されたプロバイダ／キャリアに対応する設定情報を、設定情報記憶部５より読み出し、設定情報管理部６により、この設定情報に応じた設定を行う（Ｓ７）。
【００５０】
以上のような初期設定動作を行うことにより、本発明の実施の形態１におけるＩＰ通信
装置１は、各々のプロバイダやキャリアに対応した初期設定情報を選択し、設定することができるので、どのようなキャリア、プロバイダに対応する回線に接続しても、簡単・容易に初期設定を完了することが可能となるという効果を有する。
【００５１】
（実施の形態２）
図６は、本発明の実施の形態２におけるＩＰ通信装置のブロック図である。
【００５２】
図６において、１は、ＩＰ通信装置である。２は、表示部であり、入力部３で入力した入力情報を表示したり、発信先の発呼者情報等を表示する。
【００５３】
３は、入力部であり、テンキーにより英数字等を入力可能に構成されている。入力部３は、ＩＰ通信装置本体に設置されるテンキーでも良いし、本体とは別に外付けされるキーボードであっても良い。
【００５４】
４は、送受話インターフェースであり、インターネット電話等で通話を行う際のインターフェースとして用いられる。
【００５５】
５は、設定情報記憶部であり、後述するように、複数のプロバイダやキャリアに対応する設定情報をテーブルとして記憶している。
【００５６】
６は、設定情報管理部であり、設定情報記憶部５に記憶された設定情報のうちいずれか適切な設定情報を利用して、ＩＰ通信装置１の通信のための初期設定を行う。
【００５７】
７は、スイッチであり、プロバイダやキャリアに対応して選択を行うものである。
【００５８】
なお、スイッチ７は、本実施の形態において、別に存在するものとして記載しているが、本発明の趣旨としては必ずしも別個に存在する必要はなく、例えば、入力部３のテンキーにより、番号、記号を組み合わせてスイッチ７としても良い。
【００５９】
８は、電話回線インターフェースであり、電話回線と接続される。
【００６０】
９は、ＩＰ網インターフェースであり、ＡＤＳＬや、イーサネット（登録商標）等ＩＰ回線と接続される。１０は、主制御部であり、上述した各機能部を統括的に制御する。
【００６１】
５０は、キャリア／プロバイダ認識部であり、ＩＰ網インターフェース９から到来する認識用信号を受信し、設定すべきキャリア／プロバイダを特定する。
【００６２】
図７は、本発明の実施の形態２におけるＩＰ通信装置のシステム図である。
【００６３】
図７において、１は、ＩＰ通信装置、１３は、ＩＰ通信装置１が接続されている市内電話網、１４は、電話網に接続されているインターネット接続用のゲートウェイ、１５は、インターネット網、１６は、インターネット接続用のゲートウェイ、１７は、インターネット接続用のゲートウェイが接続されている市内電話網である。７０は、ＩＰ通信装置１が必要とする設定情報をダウンロードして提供するダウンロードサーバである。
【００６４】
このようなシステムにおいて、通信を行う場合には、ＩＰ通信装置１はまず、インターネット接続用のゲートウェイ１４に市内電話網１３を介して接続して所定の手続をした上で認証を受けて接続を行い、インターネット網１５に接続することが可能となる。
【００６５】
特に、初めて通信を行うにあたっては、ＩＰ通信装置１はインターネット接続用のゲー
トウェイ１４との接続手順を細かく設定する必要がある。
【００６６】
接続手順としては、ＤＨＣＰをＯＮにするかどうか、ＩＰアドレスの指定、サブネットマスク、デフォルトゲートウェイの情報等である。
【００６７】
これらの設定情報について、ＩＰ通信装置１はまず、既に記憶している設定情報記憶部５にある設定情報を利用しようとするが、無い場合は、ダウンロードサーバ７０にまずアクセスし、必要な設定情報をダウンロードする。
【００６８】
図８は、本発明の実施の形態２におけるＩＰ通信装置のフローチャートである。
【００６９】
図８において、ＩＰ通信装置１がどのように初期設定を行うかの動作説明を行う。
【００７０】
まず、ＩＰ通信装置１のＩＰ網インターフェース９に、回線が接続されているかどうかの確認を行う（Ｓ１）。ここで、回線が接続されていない場合は、初期設定動作を終了する（Ｓ２）。回線が接続されていると確認された場合、キャリア／プロバイダ認識部５０により、接続すべきキャリア／プロバイダの認識をおこなう（Ｓ３）。ここでは、ユーザーは予め、接続すべき、キャリア／プロバイダに契約を行い、この契約に基づき、キャリア／プロバイダからは予め、接続すべきキャリア／プロバイダを特定する信号が送出されるようになっているものとする。
【００７１】
認識されたキャリア／プロバイダによって、予め設定情報記憶部５に記憶されていない設定情報が必要な場合がある。このため、認識されたキャリア／プロバイダの設定情報があるかどうかの判別を行う（Ｓ４）。設定情報がある場合、そのまま（Ｓ７）へ移行する。設定情報が無い場合、ＩＰ通信装置１は予め定められたダイアルアップ等により所定のダウンロードサーバへの接続を行い、設定情報のダウンロードを行う（Ｓ５）。このダウンロード情報は、設定情報記憶部５に記憶される（Ｓ６）。
【００７２】
なお、ダウンロードサーバ７０は、新たに設立されたキャリア／プロバイダ等に対応して、必要な設定情報を随時更新している。
【００７３】
ＩＰ通信装置１は、認識されたプロバイダ／キャリアに対応する設定情報を、設定情報記憶部５より読み出し、設定情報管理部６により、この設定情報に応じた設定を行う（Ｓ７）。
【００７４】
以上のような初期設定動作を行うことにより、本願発明の実施の形態２におけるＩＰ通信装置１は、各々のプロバイダやキャリアに対応した初期設定情報を認識し、設定することができるので、どのようなキャリア、プロバイダに対応する回線に接続しても、自動的に初期設定を完了することが可能となるという効果を有する。
【００７５】
また、仮に予め記憶した設定情報の中に、必要とする設定情報が無い場合であっても、ダウンロードサーバ７０より新たに設定情報をダウンロードして、この新たな設定情報によって、初期設定を行うことが可能であるという効果を有する。
【００７６】
なお、実施の形態１、２において、ＩＰｖ．６に対応した固定グローバルアドレスをＩＰ通信装置１が持っていても良い。
【００７７】
この場合、ＩＰ通信装置１は、常に固有のグローバルアドレスを装置そのものが保有するので、仮にＩＰ通信装置１を別の回線で接続した場合でもグローバルアドレスにより、ネットワーク上の位置の確認が容易である。結果として、初期設定が容易／または自動的
に行える上に、どこでネットワーク接続してもネットワーク上の位置を容易に特定できる、使い勝手の良いＩＰ通信装置を実現することが可能となる。
【産業上の利用可能性】
【００７８】
本発明のＩＰ通信装置は、キャリア／プロバイダを問わず、種々のキャリア／プロバイダに簡単・容易・自動的に初期設定を行い、通信を開始することが可能なので、汎用のＩＰ接続用のインターネット電話装置、ファクシミリ装置、ＴＶ電話装置として、利用可能である。
【図面の簡単な説明】
【００７９】
【図１】本発明の実施の形態１におけるＩＰ通信装置の外観図
【図２】本発明の実施の形態１におけるＩＰ通信装置のブロック図
【図３】本発明の実施の形態１におけるＩＰ通信装置のシステム図
【図４】本発明の実施の形態１におけるＩＰ通信装置の設定情報テーブル図
【図５】本発明の実施の形態１におけるＩＰ通信装置のフローチャート
【図６】本発明の実施の形態２におけるＩＰ通信装置のブロック図
【図７】本発明の実施の形態２におけるＩＰ通信装置のシステム図
【図８】本発明の実施の形態２におけるＩＰ通信装置のフローチャート
【符号の説明】
【００８０】
１    ＩＰ通信装置
２    表示部
３    入力部
４    送受話インターフェース
５    設定情報記憶部
６    設定情報管理部
７    スイッチ
８    電話回線インターフェース
９    ＩＰ網インターフェース
１３    市内電話網
１４    インターネット接続用のゲートウェイ
１５    インターネット網
【図１】
2005269030.tif 000003
【図２】
2005269030.tif 000004
【図３】
2005269030.tif 000005
【図４】
2005269030.tif 000006
【図５】
2005269030.tif 000007
【図６】
2005269030.tif 000008
【図７】
2005269030.tif 000009
【図８】
2005269030.tif 000010